(57)【要約】【課題】全高調節に係る設計変更の自由度を向上する。【解決手段】横方向に連続した端壁１０Ａ，１０Ｂおよび側壁１１Ａ，１１Ｂに、横方向に延びる全高調節用折曲線１９を設けるとともに、各端壁１０Ａ，１０Ｂの全高調節用折曲線１９の両端より、連続した内フラップ１４Ａ，１４Ｂに向けて略４５度の傾斜角で延びる折込用折曲線２０を設け、各フラップ１４Ａ，１４Ｂ〜１７Ａ，１７Ｂと各壁１０Ａ，１０Ｂ，１１Ａ，１１Ｂとの境界部分で折り曲げた第１封緘状態と、全高調節用折曲線１９および折込用折曲線２０に沿って折り曲げて、外フラップ１５Ａ，１５Ｂで閉塞した第１封緘状態より全高が低い第２封緘状態とを可能する。【選択図】図１
2007197047.tif 000002
【特許請求の範囲】
【請求項１】
各一対の端壁および側壁を備え、前記端壁の端縁に内フラップを連設するとともに、前記側壁の端縁に外フラップを連設した包装箱において、
横方向に連続した前記端壁および側壁に、横方向に延びる全高調節用折曲線を設けるとともに、
前記各端壁の全高調節用折曲線の両端より、連続した内フラップに向けて略４５度の傾斜角で延びる折込用折曲線を設け、
前記各フラップと各壁との境界部分で折り曲げた第１封緘状態と、
前記全高調節用折曲線および折込用折曲線に沿って折り曲げて、外フラップで閉塞した前記第１封緘状態より全高が低い第２封緘状態とを可能としたことを特徴とする包装箱。
【請求項２】
前記第２封緘状態で先端が重畳する前記外フラップの一方に、折返用折曲線を設けたことを特徴とする請求項１に記載の包装箱。
【請求項３】
前記第２封緘状態で重畳する外フラップに、重畳状態を維持するロック手段を設けたことを特徴とする請求項１または請求項２に記載の包装箱。
【請求項４】
前記端壁および側壁は横方向に交互に連続したもので、その一端に位置する側壁に他端に位置する端壁に貼着する糊代部を設けるとともに、該糊代部における前記全高調節用折曲線および折込用折曲線による囲繞領域に対応する切欠部を設けたことを特徴とする請求項１乃至請求項３のいずれか１項に記載の包装箱。
【発明の詳細な説明】
【技術分野】
【０００１】
本発明は、異なる大きさの商品を無駄な空間が生じることなく収容可能な包装箱に関するものである。
【背景技術】
【０００２】
近年では、電話やインターネットにより様々な商品を注文して購入することが可能になっている。そして、購入者は、包装箱によって梱包されていない商品や、２以上の商品を同時に購入する場合がある。そのため、この種の販売を行う通信販売業者は、輸送用として専用の包装箱を用意しておく必要がある。
【０００３】
しかし、各商品は、それぞれ大きさが異なるため、複数種の大きさ（容積）の包装箱が必要になる。そして、複数種の包装箱を用意するのは、コスト高になるうえ、その保管スペースも必要になるという問題がある。なお、大きな包装箱を用意しておけば、勿論小さな商品を収容することは可能であるが、内部に生じる無駄な空間には、緩衝材を充填する必要があるため、やはりコスト高になるうえ、緩衝材の保管スペースが必要になる。
【０００４】
そこで、収容可能な容積を変更できる包装箱が要望されており、このような包装箱に関連する先行技術文献情報としては次のものがある。
【０００５】
【特許文献１】実開平３−８１８１７号公報
【０００６】
この特許文献１には、横方向に連続する各一対の短辺側板と長辺側板とからなる筒状の包装箱が記載されている。そして、短辺側板には、その先端中央から４５度の傾斜角度で一対の第１折込用折曲線が設けられている。同様に、長辺側板には、その先端中央から４５度の傾斜角度で一対の第２折込用折曲線が設けられている。そして、各側板には、前記第１折込用折曲線の端部に位置するように、横方向に延びる第１境界線が設けられるとともに、前記第２折込用折曲線の端部に位置するように、横方向に延びる第２境界線が設けられている。
【０００７】
これにより、第１折込用折曲線と第１境界線に沿って折り曲げると、第１境界線で折り曲げられた一対の長辺側板の先端縁が突き合うように閉塞される第１封緘状態とする。また、第２折込用折曲線と第２境界線に沿って折り曲げると、第２境界線で折り曲げられた一対の短辺側板の先端縁が突き合うように閉塞される第２封緘状態とする。また、これらの折曲線を各側板の上下に設けることにより、全高が異なる三段階の包装箱を形成できるようにしている。
【０００８】
しかしながら、この包装箱は、短辺側板および長辺側板の寸法設定により、調節可能な高さが一義的に規定されてしまう。即ち、全高が高い封緘状態とする場合には、短辺側板を折り込んで長辺側板で閉塞し、全高が低い封緘状態とする場合には、長辺側板を折り込んで、短辺側板で閉塞するため、境界線の位置を変更すると、閉塞することができない。そのため、例え縦方向の寸法のみを変更する場合でも、ブランクの外形全てを変更する必要があり、寸法調節に係る自由度が低いという問題がある。
【発明の開示】
【発明が解決しようとする課題】
【０００９】
本発明は、従来の問題に鑑みてなされたもので、全高調節に係る設計変更の自由度を向上できる包装箱を提供することを課題とするものである。
【課題を解決するための手段】
【００１０】
前記課題を解決するため、本発明の包装箱は、各一対の端壁および側壁を備え、前記端壁の端縁に内フラップを連設するとともに、前記側壁の端縁に外フラップを連設した包装箱において、横方向に連続した前記端壁および側壁に、横方向に延びる全高調節用折曲線を設けるとともに、前記各端壁の全高調節用折曲線の両端より、連続した内フラップに向けて略４５度の傾斜角で延びる折込用折曲線を設け、前記各フラップと各壁との境界部分で折り曲げた第１封緘状態と、前記全高調節用折曲線および折込用折曲線に沿って折り曲げて、外フラップで閉塞した前記第１封緘状態より全高が低い第２封緘状態とを可能とした構成としている。
【００１１】
この包装箱では、各壁とフラップとの境界部分で折り曲げた第１封緘状態と、全高調節用折曲線および折込用折曲線で折り曲げた第２封緘状態とで、その全高を異ならせることができる。そして、これらの封緘状態は、いずれも外フラップが外側に位置するものであるため、全高調節用折曲線の形成位置が変わっても確実に閉塞することができる。即ち、第２封緘状態での全高のみを調節する場合、前記全高調節用折曲線の位置を変更し、それに伴って折込用折曲線の位置を変更するだけで、ブランクの外形全体までも変更する必要はない。そのため、寸法調節に係る自由度を向上することができる。
【００１２】
この包装箱では、前記第２封緘状態で先端が重畳する前記外フラップの一方に、折返用折曲線を設けることが好ましい。このようにすれば、第２封緘状態とする際の作業性を向上できる。
【００１３】
また、前記第２封緘状態で重畳する外フラップに、重畳状態を維持するロック手段を設けることが好ましい。このようにすれば、原材料の腰の強さで第２封緘状態が解除されることを防止できる。
【００１４】
さらに、前記端壁および側壁は横方向に交互に連続したもので、その一端に位置する側壁に他端に位置する端壁に貼着する糊代部を設けるとともに、該糊代部における前記全高調節用折曲線および折込用折曲線による囲繞領域に対応する切欠部を設けることが好ましい。このようにすれば、第２封緘状態とする際の原材料の腰による作業性の低下を防止できる。
【発明の効果】
【００１５】
本発明の包装箱では、収容する商品が必要とする容積に応じて全高が異なる封緘状態とすることができるため、用意する包装箱の個数や緩衝材の量を削減でき、コストダウンを図ることができる。また、これらの封緘状態は、いずれも外フラップが外側に位置するものであるため、全高調節用折曲線の形成位置が変わっても確実に閉塞することができる。そのため、寸法調節に係る自由度を向上することができる。
【発明を実施するための最良の形態】
【００１６】
以下、本発明の実施の形態を図面に従って説明する。
【００１７】
図１から図５は、本発明の第１実施形態に係る包装箱を示す。この包装箱は、各一対の端壁１０Ａ，１０Ｂおよび側壁１１Ａ，１１Ｂを備え、これらの上下端縁にそれぞれフラップ１４Ａ，１４Ｂ〜１７Ａ，１７Ｂを連設し、これらフラップ１４Ａ，１４Ｂ〜１７Ａ，１７Ｂにより閉塞した第１封緘状態と、この第１封緘状態より全高が低い第２封緘状態との２種の封緘を可能としたものである。
【００１８】
この包装箱は、表紙および裏紙の間に波状の中しんを配設した周知の段ボール紙を、周知の紙器打抜装置（図示せず）によって図５に示す連続した一枚のブランクとして打ち抜き、所定部位を糊付けにより貼着して成形される。
【００１９】
この包装箱のブランクは、図５に示すように、端壁１０Ａ，１０Ｂおよび側壁１１Ａ，１１Ｂが交互かつ直線的に連続するように設けられている。これらのうち、左側端部に位置する側壁１１Ａの端縁には、右側端部に位置する端壁１０Ｂに貼着するための糊代部１２が連設されている。そして、これら端壁１０Ａ，１０Ｂ、側壁１１Ａ，１１Ｂおよび糊代部１２の各境界部分には、肉厚を圧縮するように罫を入れて形成した折曲線１３が設けられている。
【００２０】
前記端壁１０Ａ，１０Ｂの上端縁には上側内フラップ１４Ａ，１４Ｂが連設されるとともに、前記側壁１１Ａ，１１Ｂの上端縁には上側外フラップ１５Ａ，１５Ｂが連設されている。同様に、前記端壁１０Ａ，１０Ｂの下端縁には下側内フラップ１６Ａ，１６Ｂが連設されるとともに、前記側壁１１Ａ，１１Ｂの下端縁には下側外フラップ１７Ａ，１７Ｂが連設されている。そして、これら各フラップ１４Ａ，１４Ｂ〜１７Ａ，１７Ｂと連続した各壁１０Ａ，１０Ｂ，１１Ａ，１１Ｂとの間には、前記と同様の折曲線１８が設けられている。
【００２１】
そして、本実施形態では、横方向に連続した端壁１０Ａ，１０Ｂおよび側壁１１Ａ，１１Ｂに、横方向に延びる全高調節用折曲線１９が設けられている。この全高調節用折曲線１９は、前記と同様に肉厚を圧縮するように罫を入れて形成したものである。
【００２２】
また、前記端壁１０Ａ，１０Ｂには、全高調節用折曲線１９の両端より、連続した一方の上側内フラップ１４Ａ，１４Ｂの先端に向けて４５度の傾斜角で延びる折込用折曲線２０が設けられている。この折込用折曲線２０は、肉厚を圧縮するように罫を入れて形成した折曲線と、該折曲線上に所定間隔をもって切断線を設けてなるリード罫により構成している。
【００２３】
さらに、一対の上側外フラップ１５Ａ，１５Ｂのうち、一方の上側外フラップ１５Ｂには、全高が低い第２封緘状態で、Ｕ字形状に折り返して他方の上側外フラップ１５Ａを上方に重畳させるための折返用折曲線２１が横方向に延びるように設けられている。
【００２４】
そして、前記糊代部１２には、貼着する端壁１０Ｂの全高調節用折曲線１９および折込用折曲線２０による囲繞領域に対応する略Ｖ字形状の切欠部２２が設けられている。即ち、この切欠部２２を形成することにより、端壁１０Ｂにおける折込部分の領域に糊代部１２が貼着されないようにし、折込作業性の向上を図っている。
【００２５】
前記構成の包装箱の寸法を設定する場合、まず、必要な平面視形状（面積）と高さに基づいて、端壁１０Ａ，１０Ｂおよび側壁１１Ａ，１１Ｂの横方向の寸法を設定するとともに、縦方向の寸法を設定する。その後、二番目に必要な高さ（容積）に基づいて、前記全高調節用折曲線１９を形成する位置（高さ）を設定する。なお、上側外フラップ１５Ａ，１５Ｂの突出寸法は、端壁１０Ａ，１０Ｂの横方向の寸法の略半分の寸法設定とし、上側内フラップ１４Ａ，１４Ｂは、一対の折込用折曲線２０，２０が略交差する部分で切断した寸法設定としている。本実施形態では、折り曲げによる破断を防止するために、折込用折曲線２０，２０の交差部分より若干突出した位置で切断し、折込用折曲線２０，２０の延長線上を破断防止用の切欠部２３としている。
【００２６】
次に、前記包装箱の使用方法について説明する。
【００２７】
この包装箱に商品を収容させて封緘する場合、まず、図１に示すように、端壁１０Ａ，１０Ｂおよび側壁１１Ａ，１１Ｂが四角筒状をなすように広げ、下側内フラップ１６Ａ，１６Ｂを折り曲げた後、下側外フラップ１７Ａ，１７Ｂを折り曲げる。そして、突き合わさった下側外フラップ１７Ａ，１７Ｂの先端部分を粘着テープ（図示せず）などの貼着手段で貼着する。
【００２８】
そして、全高が高い第１封緘状態とする場合、図２に示すように、上側内フラップ１４Ａ．Ｂを折り曲げた後、上側外フラップ１５Ａ，１５Ｂを折り曲げる。そして、突き合わさった上側外フラップ１５Ａ，１５Ｂの先端部分を粘着テープなどの貼着手段で貼着する。これにより、第１封緘状態とすることができる。
【００２９】
一方、全高が低い第２封緘状態とする場合、図３に示すように、全高調節用折曲線１９に沿って端壁１０Ａ，１０Ｂおよび側壁１１Ａ，１１Ｂを折り曲げるとともに、折込用折曲線２０に沿って端壁１０Ａ，１０Ｂの上側部分および上側内フラップ１４Ａ，１４Ｂを折り曲げる。これにより、上側内フラップ１４Ａ，１４Ｂを含む端壁１０Ａ，１０Ｂの上側領域を内向きに折り込む。この折込作業を進めると、一対の上側外フラップ１５Ａ，１５Ｂが干渉する。そのため、図４に示すように、折返用折曲線２１に沿って上側外フラップ１５Ｂを折り返し、その上に他方の上側外フラップ１５Ａを重畳させる。そして、この上側外フラップ１５Ａの先端縁に沿って粘着テープなどの貼着手段を貼着する。これにより、第２封緘状態とすることができる。
【００３０】
そして、これらの封緘状態は、いずれも上側外フラップ１５Ａ，１５Ｂが外側に位置するものであるため、全高調節用折曲線１９の形成位置が変わっても確実に閉塞することができる。即ち、第２封緘状態での全高のみを調節する場合、図６に示すように、全高調節用折曲線１９の位置を変更し、それに伴って折込用折曲線２０の位置を変更するだけで、ブランクの外形全体までも変更する必要はない。
【００３１】
因みに、本実施形態の包装箱のブランクは、全高調節用折曲線１９、折込用折曲線２０および折返用折曲線２１を形成せず、上側内フラップ１４Ａ，１４Ｂを上側外フラップ１５Ａ，１５Ｂと同一突出量とすれば、一般的な汎用包装箱である。そして、この汎用包装箱は、設備費用が高く大量生産性が低いダイカッターではなく、設備費用が安く大量生産性が高いフレキソグルアなどの汎用加工機で製造することができる。そのため、本実施形態の包装箱は、全高調節用折曲線１９、折込用折曲線２０および折返用折曲線２１を形成し、上側内フラップ１４Ａ，１４Ｂの不要部分を切断する部分型のみを形成すれば、前記フレキソグルアによって生産することが可能である。
【００３２】
そして、前述のように寸法調節する場合には、部分型のみを交換すれば容易に対応できるため、図７に示すように、上側内フラップ１４Ａ，１４Ｂが上側外フラップ１５Ａ，１５Ｂの突出量を越えない範囲であれば、上側内フラップ１４Ａ，１４Ｂの突出量を変更することも可能である。
【００３３】
このように、本発明の包装箱では、収容する商品が必要とする容積に応じて全高が異なる封緘状態とすることができるため、用意する包装箱の個数や緩衝材の量を削減でき、コストダウンを図ることができる。また、これらの封緘状態は、いずれも上側外フラップ１５Ａ，１５Ｂが外側に位置するものであり、全高調節用折曲線１９の形成位置が変わっても確実に閉塞できるため、寸法調節に係る自由度を向上することができる。
【００３４】
また、本実施形態では、一方の上側外フラップ１５Ｂに折返用折曲線２１を設けるとともに、糊代部１２に切欠部２２を設けているため、第２封緘状態とする際に、原材料である段ボール紙の腰による作業性の低下を防止できる。
【００３５】
図８から図１２は第２実施形態の包装箱を示す。この第２実施形態では、第２封緘状態で重畳する上側外フラップ１５Ａ，１５Ｂに、その重畳状態を維持するロック手段として、ロック片２４とロック穴２８とを設けた点で、第１実施形態と相違している。なお、第１実施形態と同一構成は、同一符号を付して詳細な説明は省略する。
【００３６】
具体的には、第２実施形態のブランクは、図１２に示すように、上側外フラップ１５Ａの先端近傍にロック片２４が形成されている。このロック片２４は、横方向に延びるように設けた直線状切断線２５と、該直線状切断線２５の両端に設けた円弧状切断線２６とで、その間に形成される。円弧状切断線２６は、上側外フラップ１５Ａの先端側が湾曲し、その両端が連続する側壁１１Ａの側に位置する。そして、この上側外フラップ１５Ａには、各円弧状切断線２６，２６の頂部から両側縁に向けて横方向に延びるロック作業用折曲線２７が設けられている。このロック作業用折曲線２７は、肉厚を圧縮するように罫を入れて形成した折曲線と、該折曲線上に所定間隔をもって切断線を設けてなるリード罫により構成している。
【００３７】
また、上側外フラップ１５Ｂには、第１実施形態と同様の折返用折曲線２１が設けられ、この折返用折曲線２１と連続する側壁１１Ｂとの境界の折曲線１８との間に、第２封緘状態で前記ロック片２４の下部に対応するロック穴２８が設けられている。このロック穴２８は、横方向に延びるように設けた直線状切断線２９と、該直線状切断線２９の両端に設けた１／４円形状の円弧状切断線３０と、前記直線状切断線２９の中間部分に設けた切込線３１とで構成される。円弧状切断線３０は、直線状切断線２９に対して接し、その先端が連続する側壁１１Ｂの側に位置する。また、切込線は、一端が直線状切断線２９上に位置し、他端が連続する側壁１１Ｂの側に位置する。
【００３８】
このように構成された第２実施形態の包装箱は、図８に示すように、各フラップ１４Ａ，１４Ｂ〜１７Ａ，１７Ｂを各壁１０Ａ，１０Ｂ，１１Ａ，１１Ｂに対して折り曲げることにより、第１実施形態と同様に全高が高い第１封緘状態とすることができる。
【００３９】
また、図９に示すように、全高調節用折曲線１９に沿って端壁１０Ａ，１０Ｂおよび側壁１１Ａ，１１Ｂを折り曲げるとともに、折込用折曲線２０に沿って端壁１０Ａ，１０Ｂの上側部分および上側内フラップ１４Ａ，１４Ｂを折り曲げることにより、第１実施形態と同様に全高が低い第２封緘状態とすることができる。
【００４０】
しかも、第２実施形態では、購入者が簡易封緘状態として商品を保管することができる。即ち、図１０に示すように、折返用折曲線２１に沿って上側外フラップ１５Ｂの先端を内向きに折り曲げる。その後、全高調節用折曲線１９に沿って端壁１０Ａ，１０Ｂおよび側壁１１Ａ，１１Ｂを折り曲げるとともに、折込用折曲線２０に沿って端壁１０Ａ，１０Ｂの上側部分および上側内フラップ１４Ａ，１４Ｂを折り曲げる。そして、図１１に示すように、ロック作業用折曲線２７に沿って上側外フラップ１５Ａの先端を折り曲げ、下向きに突出するロック片２４をロック穴２８に押し込む。これにより、直線状切断線２９および円弧状切断線３０に囲繞された舌片状部分を下向きに撓ませ、ロック片２４を内部に押し込む。これにより、包装箱を全高が低い状態で簡易的に封緘することができる。勿論、この簡易封緘状態で、上側外フラップ１５Ａの先端に粘着テープを貼着して強固に封緘してもよい。
【００４１】
そして、この第２実施形態では、第１実施形態と同様の作用および効果を得ることができるうえ、ロック手段により、原材料である段ボール紙の腰の強さで封緘状態が解除されることを防止できる。そのため、このロック手段のみによる簡易封緘状態を確実に維持できるうえ、粘着テープを使用した場合にも封緘強度を向上できる。
【００４２】
図１３から図１６は第３実施形態の包装箱を示す。この第３実施形態では、第１および第２実施形態が端壁１０Ａ，１０Ｂの幅が比較的広い汎用包装箱に本発明の構造を適用したのに対し、端壁１０Ａ，１０Ｂの幅が比較的狭いラップアランド形式の包装箱に本発明の構造を適用した点で大きく相違している。
【００４３】
具体的には、第３実施形態の包装箱のブランクは、図１６に示すように、各実施形態と同様に端壁１０Ａ，１０Ｂおよび側壁１１Ａ，１１Ｂが交互かつ直線的に連続するように設けられているが、左側端部に端壁１０Ａが位置し、右側端部に側壁１１Ｂが位置し、端壁１０Ａに糊代部１２が連設されている点で相違する。なお、これらの順番の違いは、包装箱として何ら作用および効果に違いは生じない。また、各壁１０Ａ，１０Ｂ，１１Ａ，１１Ｂの上下端縁には、それぞれフラップ１４Ａ，１４Ｂ〜１７Ａ，１７Ｂが連設されている。
【００４４】
そして、各実施形態と同様に、各壁１０Ａ，１０Ｂ，１１Ａ，１１Ｂには、横方向に延びる全高調節用折曲線１９が上下に一対設けられ、端壁１０Ａ，１０Ｂには、全高調節用折曲線１９の端部から連続する内フラップ１４Ａ，１４Ｂ，１６Ａ，１６Ｂに向けて４５度の傾斜角で延びる折込用折曲線２０が設けられている。なお、この第３実施形態では、全高調節用折曲線１９による調節高さは、折込用折曲線２０の交差位置が折曲線１８上に位置するようにして、この折曲線１８を折返用折曲線として兼用できるように構成している。また、本実施形態では、糊代部には切欠部２２を設けない代わりに、前記全高調節用折曲線１９を延設している。
【００４５】
この第３実施形態では、折込用折曲線２０の先端が内フラップ１４Ａ，１４Ｂ，１６Ａ，１６Ｂの先端近傍まで達しない。そのため、本実施形態では、折込用折曲線２０，２０の交差点から内フラップ１４Ａ，１４Ｂ，１６Ａ，１６Ｂの先端に向けて縦方向に延びる重畳用折曲線３２が設けられている。この重畳用折曲線３２は、肉厚を圧縮するように罫を入れて形成したものである。
【００４６】
このラップアランド形式の包装箱は、例えば、ブランクの状態で所定の製造メーカに出荷され、自動組立包装装置により封緘される。具体的には、ブランク状態の側壁１１Ａに所定の配列で缶飲料などが載置される。その後、前記側壁１１Ａを基準として各壁１０Ａ，１０Ｂ，１１Ｂ，１２を順次折り曲げ、糊代部１２を側壁１１Ｂに熱溶融樹脂からなる接着剤（ホットメルト）で貼着される。ついで、内フラップ１４Ａ，１４Ｂ，１６Ａ，１６Ｂを折り曲げた後、各外フラップ１５Ａ，１５Ｂ，１７Ａ，１７Ｂを折り曲げ、これらの重畳部分をホットメルトで貼着して、図１３（Ａ）に示す第１封緘状態の包装箱が形成される。
【００４７】
そして、この包装箱に収容された商品の購入者は、例えば図１３（Ｂ）に示すように、上側外フラップ１５Ａ，１５Ｂおよび上側内フラップ１４Ａ，１４Ｂを開封し、内部の商品を希望数分だけ取り出す。内部に未だ使用しない商品が残っており、塵埃が入り込むのを嫌う場合、ユーザは再び封緘する。この際、包装箱の保管スペースを削減する場合、全高を低くした第２封緘状態とする。
【００４８】
即ち、図１４に示すように、全高調節用折曲線１９に沿って各壁１０Ａ，１０Ｂ，１１Ａ，１１Ｂを折り曲げるとともに、折込用折曲線２０に沿って端壁１０Ａ，１０Ｂの上側部分を折り曲げる。さらに、重畳用折曲線３２に沿って上側内フラップ１４Ａ，１４Ｂを折り曲げる。そして、各上側内フラップ１４Ａ，１４Ｂを２つ折りして重畳させるとともに、上側外フラップ１５Ａ，１５Ｂを互いに重畳させ、折返用折曲線を兼用する折曲線１８に沿って一方に折り畳むことにより、図１５（Ａ）に示す第２封緘状態とすることができる。
【００４９】
更に内部の商品を取り出し、更に保管スペースを削減する場合、各壁１０Ａ，１０Ｂ，１１Ａ，１１Ｂの逆側に設けた全高調節用折曲線１９、折込用折曲線２０および重畳用折曲線３２に沿って各壁１０Ａ，１０Ｂ，１１Ａ，１１Ｂおよび内フラップ１６Ａ，１６Ｂを折り曲げることにより、図１５（Ｂ）に示すように、第２封緘状態より更に全高が低い第３封緘状態とすることができる。
【００５０】
このように、本発明の包装箱は、端壁１０Ａ，１０Ｂおよび側壁１１Ａ，１１Ｂの希望位置に全高調節用折曲線１９を設け、端壁１０Ａ，１０Ｂにおける全高調節用折曲線１９の両端から４５度の傾斜角で折込用折曲線２０を形成する。そして、一対の折込用折曲線２０，２０が交差しない位置に全高調節用折曲線１９を設けた場合、他の構成を付加することなく、包装箱を異なる高さで封緘状態とすることができる。一方、一対の折込用折曲線２０，２０が交差する場合、第３実施形態のように重畳用折曲線３２を付加することにより、包装箱を異なる高さで封緘状態とすることができる。即ち、包装箱の平面視形状、即ち、端壁１０Ａ，１０Ｂおよび側壁１１Ａ，１１Ｂの寸法設定を変更することなく、第２封緘状態の全高を希望に応じて容易に調節することができる。しかも、その変更は、第１および第２実施形態のような汎用包装箱である場合、フレキソグルアに使用する部分型を変更するのみで容易に対応することができる。
【００５１】
なお、本発明の包装箱は、前記実施形態の構成に限定されるものではなく、種々の変更が可能である。
【００５２】
例えば、第１および第２実施形態では、端壁１０Ａ，１０Ｂおよび側壁１１Ａ，１１Ｂの上側にのみ、全高調節用折曲線１９および折込用折曲線２０を設けて、２段階の全高調節を可能としたが、第３実施形態のように、下側にも設けることにより、３段階の全高調節を可能とすることもできる。
【００５３】
勿論、その使用方法は、包装箱の購入者によって希望に応じて変更が可能である。即ち、通信販売業者であれば、出荷時に全高を変更することにより特有の効果を得ることができ、商品の購入者であれば、購入後に全高を変更することにより特有の効果を得ることができる。
【００５４】
また、前記実施形態では、外観が６面体からなる包装箱に適用したが、例えば端壁１０Ａ，１０Ｂと内フラップ１４Ａ，１４Ｂ，１６Ａ，１６Ｂとの間や、側壁１１Ａ，１１Ｂと外フラップ１５Ａ，１５Ｂ，１７Ａ，１７Ｂとの間に面取り壁を設けた包装箱などでも同様に適用可能である。
【図面の簡単な説明】
【００５５】
【図１】本発明の第１実施形態の包装箱を示す斜視図である。
【図２】図１の包装箱の第１封緘状態を示す斜視図である。
【図３】図１の包装箱を第２封緘状態とするための一工程を示す斜視図である。
【図４】図１の包装箱の第２封緘状態を示す斜視図である。
【図５】図１の包装箱のブランクを示す平面図である。
【図６】図１の包装箱の変形例を示す斜視図である。
【図７】図１の包装箱の他の変形例を示す斜視図である。
【図８】第２実施形態の包装箱の第１封緘状態を示す斜視図である。
【図９】図８の包装箱の第２封緘状態を示す斜視図である。
【図１０】図８の包装箱を簡易封緘状態とするための一工程を示す斜視図である。
【図１１】図８の包装箱の簡易封緘状態を示す斜視図である。
【図１２】図８の包装箱のブランクを示す平面図である。
【図１３】第３実施形態の包装箱を示し、（Ａ）は第１封緘状態を示す斜視図、（Ｂ）は開放状態を示す斜視図である。
【図１４】図１３の包装箱を第２封緘状態とするための一工程を示す斜視図である。
【図１５】図１３の異なる封緘状態を示し、（Ａ）は第２封緘状態を示す斜視図、（Ｂ）は第３封緘状態を示す斜視図である。
【図１６】図１３の包装箱のブランクを示す平面図である。
【符号の説明】
【００５６】
１０Ａ，１０Ｂ…端壁
１１Ａ，１１Ｂ…側壁
１２…糊代部
１４Ａ，１４Ｂ…上側内フラップ
１５Ａ，１５Ｂ…上側外フラップ
１６Ａ，１６Ｂ…下側内フラップ
１７Ａ，１７Ｂ…下側外フラップ
１９…全高調節用折曲線
２０…折込用折曲線
２１…折返用折曲線
２２…切欠部
２４…ロック片（ロック手段）
２８…ロック穴（ロック手段）
【図１】
2007197047.tif 000003
【図２】
2007197047.tif 000004
【図３】
2007197047.tif 000005
【図４】
2007197047.tif 000006
【図５】
2007197047.tif 000007
【図６】
2007197047.tif 000008
【図７】
2007197047.tif 000009
【図８】
2007197047.tif 000010
【図９】
2007197047.tif 000011
【図１０】
2007197047.tif 000012
【図１１】
2007197047.tif 000013
【図１２】
2007197047.tif 000014
【図１３】
2007197047.tif 000015
【図１４】
2007197047.tif 000016
【図１５】
2007197047.tif 000017
【図１６】
2007197047.tif 000018